(57)【特許請求の範囲】
【請求項１】
かご枠に上かご室と下かご室からなるかご室が上下二段に設けられた乗りかごを備えたダブルデッキエレベーターにおいて、２以上の綱車を前記かご枠の高さ方向の中間部に設け、前記乗りかごを支持し上下に移動させる主索を前記綱車に廻すようにしたことを特徴とするダブルデッキエレベーター。
【請求項２】
前記綱車を、上かご室と下かご室の間で前記かご枠に介設した綱車支持梁に取り付けたことを特徴とする請求項１に記載のダブルデッキエレベーター。
【請求項３】
前記綱車支持梁を、前記上かご室を支持し前記かご枠の立枠間に架設された上かご下梁に取り付けたことを特徴とする請求項２に記載のダブルデッキエレベーター。
【請求項４】
前記綱車支持梁を、前記下かご室の天井上で前記かご枠の立枠間に架設された下かご上梁に取り付けたことを特徴とする請求項２に記載のダブルデッキエレベーター。
【請求項５】
前記綱車支持梁を、上かご室と下かご室の間で立枠に架設される中間梁に取り付けたことを特徴とする請求項２記載のダブルデッキエレベーター。
【請求項６】
前記立枠は、上下に２分割された立枠からなり、前記上かご下梁、下かご上梁または中間梁のいずれかが立枠の分割部に接合されていることを特徴とする請求項３乃至５のいずれかの項に記載のダブルデッキエレベーター。
【請求項７】
前記綱車支持梁と中間梁の間隔を調整する間隔調整手段をさらに備えることを特徴とする請求項５に記載のダブルデッキエレベーター。
【請求項８】
前記綱車支持梁は、かご枠の立枠に取り付けられた構造梁からなることを特徴とする請求項２に記載のダブルデッキエレベーター。
【発明の詳細な説明】
【０００１】
【発明の属する技術分野】
本発明は、かご枠にかご室が上下二段に設けられているダブルデッキエレベーターに係り、特に、かご枠の剛性の向上とともに、快適な乗り心地を改良するようにしたダブルデッキエレベーターに関する。
【０００２】
【従来の技術】
この種のダブルデッキエレベーターは、一つのかご枠に上下に連設した２つの乗りかごに乗客を乗せて運ぶようにしたもので、建物に占めるエレベーターの占有面積を増大させずに大量の乗客を短時間で運ぶことが可能となる利点があり、高層建物に適したエレベーターである。
【０００３】
そこで、図９および図１０にダブルデッキエレベーターの従来例を示す。
この図９、図１０において、１は高層建物を縦貫する昇降路である。この昇降路１の両側壁には、それぞれガイドレール２が鉛直に延びており、乗りかご４は、両ガイドレール２に案内されて昇降路１を昇降する。この乗りかご４のかご枠５は、立枠６の最上部および最下部に上梁７、下梁８が架け渡され、その中間部に上かご下梁９が設けられた上下２段の枠構造となっていて、上段の上かご室１０ａは上かご下梁９に床受け枠１１を介して固定され、下段の下かご室６ｂは下梁８に床受け枠１２を介して載置されている。床受け枠１１、１２と上かご室１０ａ、下かご室１０ｂの間には、防振ゴム１３、ロードセル１４が設けられ、ロードセル１４によって上かご室１０ａ、下かご室１０ｂの重量を検知し、各種の情報として利用している。
【０００４】
図９と図１０とでは、ローピングの形式が異なっており、図９は、吊りロープ３がかご枠５の最上部の上梁７に直接に取り付けられている１：１ローピング形式のダブルデッキエレベータで、図１０は、かご枠５の最上部の上梁７に綱車１５を設け、この綱車１５に吊りロープ３を廻して吊る２：１ローピング形式のダブルデッキエレベーターである。
【０００５】
かご枠５の上梁７および下梁９には、それぞれ案内装置としてガイドローラ１６が合計４個設けられており、このガイドローラ１６は、上記各ガイドレール２に当接して転動するようになっている。
【０００６】
【発明が解決しようとする課題】
このように従来のダブルデッキエレベーターでは、乗りかご４が上下２階建て構造であることから、乗りかご４の大型化が避けられず、より一層オーバーヘッド等が大きくなり、 昇降路スペースが必要になる。さらに、このダブルデッキ エレベーターの構造上の制約から、乗りかご重心がかご吊り位置に対してかなり下方に位置し、吊り位置から重心までの距離が長くなる。これは、乗りかごが揺れて、乗り心地を悪くしてしまうという問題の原因となる。
【０００７】
一方、乗りかご４の大型化に伴いかご枠５の強度増強、とりわけ、立枠６の剛性強化が必要となる。しかし、かご枠５の剛性強化を図ろうとすると、必然的にかごの重量が増大する問題がある。
【０００８】
そこで、本発明の目的は、前記従来技術の有する問題点を解消し、昇降路スペースをとらず、かご枠の剛性を高め、乗客にとって快適な乗り心地を得ることができるようにしたダブルデッキエレベーターを提供することにある。
【０００９】
【課題を解決するための手段】
前記の目的を達成するために、請求項１に記載した発明は、かご枠に上かご室と下かご室からなるかご室が上下二段に設けられた乗りかごを備えたダブルデッキエレベーターにおいて、２以上の綱車を前記かご枠の高さ方向の中間部に設け、前記乗りかごを支持し上下に移動させる主索を前記綱車に廻すようにしたことを特徴とするものである。
【００１０】
この請求項１に係る発明によれば、綱車を上梁に取り付ける従来の構造と異なり、上梁の高さ位置を低くすることができるとともに、新たに綱車設置スペースを取る必要がないので、オーバーヘッド等の建屋側の昇降路スペースを可及的に小さくすることが可能となる。
【００１１】
また、請求項２に記載した発明は、請求項１において、綱車を上かご室と下かご室の間で前記かご枠に介設した綱車支持梁に取り付けたことを特徴とするものである。この請求項２に係る発明によれば、上かご室と下かご室の中間部で乗りかごの全体を吊るようできるので、従来よりも乗りかご重心に近いところで吊ることを可能とし、揺れを低減させる。
【００１２】
請求項３に記載したように、前記綱車支持梁は、前記上かご室を支持し前記かご枠の立枠間に架設された上かご下梁に取り付けるようにしたり、また、請求項４に記載したように、前記綱車支持梁は、前記下かご室の天井上で前記かご枠の立枠間に架設された下かご上梁に取り付けるようにしたり、あるいは、請求項５に記載したように、綱車支持梁を、上かご室と下かご室の間で立枠に架設される中間梁に取り付けるようにしてもよい。
【００１３】
前記立枠は、請求項６に記載したように、上下に２分割された立枠からなり、前記上かご下梁、下かご上梁または中間梁が立枠の分割部に接合されていることが好ましい。
【００１４】
また、請求項７に記載したように、前記綱車支持梁と中間梁の間隔を調整する間隔調整手段をさらに設けるようにしてもよい。
【００１５】
【発明の実施の形態】
以下、本発明によるダブルデッキエレベーターの一実施形態について、添付の図面を参照しながら説明する。
第１実施形態
図１は、本発明の第１の実施形態によるダブルデッキエレベーターの乗りかごを示す側面図、図２は同乗りかごの上面図である。
乗りかご２０のかご枠２１は、立枠２２、２２と、この立枠２２の最上部および最下部に架け渡された上梁２３、下梁２４と、立枠２２、２２の中間部に設けられた上かご下梁２５からなり、上かご室２６ａと下かご室２６ｂを上下２段に重ねられる枠構造となっている。上段の上かご室２６ａは上かご下梁２５に固定された床受け枠２７にゴム等の弾性材料からなる防振部材２８を介して設置されている。同様に、下段の下かご室２６ｂは、下梁２４に固定されている床受け枠２９を防振部材３０を介して載置されている。
【００１６】
符号３２は、主索３３がかけ廻される綱車である。この綱車３２は、かご枠２１の高さ方向の中間部で上かご室２６ａと下かご室２６ｂの間に配置されている綱車支持梁３４の両端部に取り付けられている。綱車支持梁３４は、上かご下梁２５の下面に取り付けられている、ゴム等の弾性材料からなる所要数の綱車防振部材３５を介して上かご下梁２５に支持されている。この場合、図２に示すように、綱車支持梁３４は、綱車３２を立枠２２に干渉しないようにするために、斜めに交差するように取り付けられている。また、立枠２２は、上立枠２２ａと下立枠２２ｂに２分割されており、上かご下梁２５が上立枠２２ａと下立枠２２ｂの分割部に接合されるようになっている
図３は、図２において矢印Ａ方向から、綱車支持梁３４の支持構造を詳細に示す図である。図４は、図３において矢印Ｂ方向から綱車支持梁３４を示す図である。
上かご下梁２５は、上かご室２６ａを取り付けるための床受け枠２７の下面に固定され、床受け枠２７は綱車防振部材３５を介して綱車支持梁３４を支持している。上かご下梁２５の両側には、取付梁３７がさらに床受け枠２７の下面に取り付けられ、これら取付枠３７は、綱車防振部材３５を介して綱車支持梁３４を補強的に支持している。綱車支持梁３４の両端部では、綱車３２の綱車軸４２が取り付けられ、この綱車軸４２はキープレート４３によって固定されるようになっている。
【００１７】
以上のように構成される第１実施形態によれば、綱車３２を上かご室２６ａと下かご室２６ｂの間にあるスペースに配置し、かご枠２１の中間部で主索３２を通して乗りかご２０の全体を吊り下げる構造とすることができる。このため、従来のような、綱車を上梁２３に取り付ける構造と異なり、上梁２３の高さ位置を低くすることができるとともに、新たに綱車設置スペースを取る必要がないので、オーバーヘッド等の建屋側の昇降路スペースを可及的に小さくすることが可能となる。また、綱車を下梁２４の下部に取り付けるいわゆるアンダースラングタイプの従来の乗りかごと異なり、昇降路のピットスペースに影響を与えることもない。
【００１８】
また、かご枠２１において上かご室２６ａと下かご室２６ｂの中間部で乗りかご２０の全体を吊るようにした構造は、乗りかご２０のバランスの点からみると、従来よりも乗りかご重心に近いところで吊ることを可能とする。吊る位置が重心に近いほど、乗りかご２０に作用する外力（主索３３から作用するもの、ガイドレールから作用するもの等を含む）によるモーメントを低減することができ、したがって乗りかご２０の揺れを小さくするとができる。
【００１９】
この他、乗りかご２０の揺れには、それぞれ上かご室２６ａや下かご室２６ｂへの乗客の乗り込み方や乗りかご２０の高さ位置からくるバランスの崩れにより生じる倒れからの揺れがあるが、乗りかご２０を重心付近で吊ることができるようになるので、これらの揺れを低減することもできる。
【００２０】
他方、かご枠２１の剛性という観点からは、立枠２２をその中央部で上かご下梁２５により補強した構造となり、立枠２２の剛性を高めることができる。これにより、立枠曲げモードの固有振動数が上がり、励振（自由振動、強制振動、共振）されにくい固有振動数（従来の５〜１０Ｈｚぐらいのものを２０Ｈｚ以上の乗心地に影響無い範囲の固有値）とすることができるため、全体として乗りかご２０の乗心地を向上できる。
【００２１】
なお、本実施形態では、立枠２２を上立枠２２ａと下立枠２２ｂとに上かご下梁２５との接合部分で分割しているが、上かご室２２ａを支持する上立枠２２ａは、上かご室２２ａを支えられるだけの強度をもっていれば十分であるから、この上立枠２２ａや上梁２３について計量化を図れる利点がある。
第２実施形態
次に、図５は、本発明の第２実施形態によるダブルデッキエレベーターの乗りかごを示している。
この第２実施形態は、図１の第１実施形態と異なる点は、上かご室２６ａと下かご室２６ｂの間で、下かご室２６ｂの天井上に下かご上梁３６を新たに設け、この下かご上梁３６に綱車防振部材３５を介して綱車支持梁３４を取り付けたものである。この綱車支持梁３４の両端部には綱車３２が取り付けられている。その他の構成部分は、第１実施形態と同様であり、同一の構成要素には、同一の参照符号を付してその説明は省略する。このような第２実施形態によっても、上述した第１実施形態と同様の効果を得ることができる。
【００２２】
第３実施形態
次に、図６は、本発明の第３実施形態によるダブルデッキエレベーターの乗りかごを示している。
この第３実施形態では、かご枠２１において、上かご下梁２５と下かご上梁３６の間で立枠２２の間に中間梁３８を架け渡し、この中間梁３８に綱車防振部材３５を介して綱車支持梁３４を取り付けたものである。立枠２２は、中間梁３８との接合部分で上立枠２２ａと下立枠２２ｂに分割されている。このような第３実施形態によれば、第１実施形態と同様の効果の他、中間梁３８によってかご枠２１の剛性をさらに向上させることができる利点がある。
【００２３】
第４実施形態
次に、図７は、本発明の第４実施形態によるダブルデッキエレベーターの乗りかごを示している。
【００２４】
この第４実施形態が図５の第２実施形態と異なる点は、下かご上梁３６と綱車支持梁３４とをジャッキボルト４０を介して連結し、これらの梁間の間隔を調整したり、綱車防振部材３５の防振効果を調整できるようにした構成となっている。このようなジャッキボルト４０は、図１における上かご下梁２５と綱車支持梁３４との間を連結するようにしてもよく、また、図６における中間梁３８と綱車支持梁３４を連結するようにしてもよい。
【００２５】
第５実施形態
次に、図８は、本発明の第５実施形態によるダブルデッキエレベーターの乗りかごにおいて、綱車３２の取付構造を示す図である。
第１乃至第４実施形態では、上かご下梁２５や下かご上梁３６あるいは中間梁３８といったかご枠２１を構成する梁に綱車支持梁３４を介して綱車３２を取り付けているのに対して、この第５実施形態では、構造梁４４を立枠２２に取り付け、この構造梁４４の端部に防振ゴム３５を介して綱車３２を支持する綱車支持枠３４が固定されている。なお、構造梁４４は、上かご室２６ａと下かご室２６ｂの間にあるスペースを利用して配置されることは、上述の第１乃至第４実施形態と同様である。
【００２６】
【発明の効果】
以上の説明から明らかなように、本発明によれば、ダブルデッキエレベーターのオーバーヘッド寸法の短縮化を図るとともに、乗りかごの重心付近で吊ることを可能として乗心地を向上させ、しかも、かご枠の剛性を高めることが可能となる等の効果を奏する。
【図面の簡単な説明】
【図１】本発明の第１の実施形態によるダブルデッキエレベーターの乗りかごを示す側面図。
【図２】同ダブルデッキエレベーターの乗りかごの上面図。
【図３】同ダブルデッキエレベーターの乗りかごにおいて綱車支持梁の取付構造を示す図１におけるＡ矢視図。
【図４】図３におけるＢ矢視図。
【図５】本発明の第２の実施形態によるダブルデッキエレベーターの乗りかごを示す側面図。
【図６】本発明の第３の実施形態によるダブルデッキエレベーターの乗りかごを示す側面図。
【図７】本発明の第４の実施形態によるダブルデッキエレベーターの乗りかごを示す側面図。
【図８】第４実施形態における綱車の取り付け構造を示す図。
【図９】従来のダブルデッキエレベーターを示す側面図。
【図１０】従来の他の形式のダブルデッキエレベーターを示す側面図。
【符号の説明】
２０  乗りかご
２１  かご枠
２２  立枠
２３  上梁
２４  下梁
２５  上かご下梁
２６ａ  上かご室
２６ｂ  下かご室
２７  床受け枠
２８  防振部材
３０  防振部材
３２  綱車
３３  主索
３４  綱車支持梁
【図１】
0004291474.tif 000002
【図２】
0004291474.tif 000003
【図３】
0004291474.tif 000004
【図４】
0004291474.tif 000005
【図５】
0004291474.tif 000006
【図６】
0004291474.tif 000007
【図７】
0004291474.tif 000008
【図８】
0004291474.tif 000009
【図９】
0004291474.tif 000010
【図１０】
0004291474.tif 000011